(57)【特許請求の範囲】
【請求項１】
上枠部材、下枠部材、右枠部材、左枠部材によって構成された正面視略長方形状の外枠と、
当該外枠の、遊技者に対向する前面側に設けられ、開閉可能に軸支された正面視略長方形状の中枠と、
当該中枠の前記裏面側に装着される機構盤と、
当該機構盤の上部に設けられ、前記中枠に対する前記機構盤のズレを防止するズレ防止部材と
を備え、
前記ズレ防止部材の最上部は、前記外枠の前記上枠部材の下面に近接していることを特徴とする遊技機。
【請求項２】
前記中枠の前記裏面側の上端部近傍に装着され、遊技球を貯留し、略直方体の上面が開口された球タンクと、
前記ズレ防止部材に設けられ、前記外枠の前記前面側から裏面側に向かって、斜め下方に傾斜する傾斜面と
を備え、
前記傾斜面は、前記球タンクの上部近傍に位置することを特徴とする請求項１に記載の遊技機。
【請求項３】
前記傾斜面は、平面視略長方形状に形成され、
前記傾斜面の傾斜する上流側の一辺は、前記外枠の前記上枠部材の下面に近接していることを特徴とする請求項２に記載の遊技機。
【請求項４】
前記ズレ防止部材は、断面視略台形の角柱状に形成され、
前記ズレ防止部材の断面を見た時に、前記略台形の上底側は、前記外枠の前記上枠部材の下面に近接し、
前記略台形の下底側は、前記機構盤の前記上部に当接して固定されていることを特徴とする請求項１乃至３の何れかに記載の遊技機。
【請求項５】
前記機構盤および前記ズレ防止部材は、樹脂によって一体成形されていることを特徴とする請求項１乃至４の何れかに記載の遊技機。
【発明の詳細な説明】
【技術分野】
【０００１】
本発明は、遊技機に関し、詳細には、中枠の裏面側に装着された機構盤のズレを防止するズレ防止部材を備えた遊技機に関する。
【背景技術】
【０００２】
従来、遊技機の一種であるパチンコ機は、賞球や貸し球を払い出すための各種装置や、制御基盤などの各種基盤が組み付けられた機構盤を備えている。この機構盤は、合成樹脂によって成型された枠フレームを基本骨格として備え、その枠フレーム上に各種装置および各種基盤が装着されている。そして、このような機構盤は、パチンコ機本体を支持する外枠に軸支された中枠の裏面側に着脱自在に組み付けられるものが多い。一般的には、機構盤の、中枠に対向する面に複数の固定部材を設け、その固定部材を前枠（中枠）に突設したフック金具に係合させることによって、機構盤を前枠（中枠）に組み付けている。その他にも、例えば、前枠（中枠）の裏面側に回転可能な留め具を設け、その留め具に機構盤の、前枠に対向する面側に設けられた開口部を嵌め合わせて機構盤を所定位置に保持すると共に、留め具を回転して留め具の突起或いはカム面を機構盤の開口部に圧接することによって、機構盤を前枠（中枠）の裏面側に保持するようにした機構盤のロック構造を有するパチンコ機も知られている（例えば、特許文献１参照）。一方、特許文献１に記載の留め具の耐久性を向上させるために、前枠（中枠）に突起状の機構盤支持部を設け、その機構盤支持部に機構盤に設けられた凹状の係合部を係合させるパチンコ遊技機も知られている（例えば、特許文献２参照）。
【特許文献１】特開平１１−２５３６３３号公報
【特許文献２】特開２００２−５８８３８号公報
【発明の開示】
【発明が解決しようとする課題】
【０００３】
しかしながら、特許文献１に記載の機構盤のロック構造を有するパチンコ機では、各種装置および各種基盤が組み付けられた機構盤自身の重量が非常に重いため、留め具の突起或いはカム面が摩耗して機構盤の保持力が低下し、機構盤が前枠（中枠）からズレるという問題点があった。また、パチンコ機は、上下逆さ状態にして運搬することがあり、そのような場合は留め具が機構盤の重量を十分支えきれないため、機構盤が前枠（中枠）からズレてしまうという問題点もあった。さらに、特許文献２に記載のパチンコ遊技機では、機構盤の上部には遊技球が貯留される球タンクが設けられており、その球タンクより遊技球が外側に溢れてしまったり、飛び出してしまうことがある。そのような場合、機構盤のと外枠との隙間に遊技球が入り込んでしまい、営業時間終了後に、ホール管理者が前枠（中枠）から機構盤を取り外すか、若しくは中枠を回動させなければ、隙間に入り込んだ遊技球が取り出せず、非常に面倒という問題点があった。
【０００４】
本発明は、上述の課題を解決するためになされたものであり、機構盤の中枠に対するズレを防止するとともに、機構盤の上部と外枠との間に遊技球が入り込むのを防止できる遊技機を提供することを目的とする。
【課題を解決するための手段】
【０００５】
上記目的を達成するために、請求項１に係る発明の遊技機では、上枠部材、下枠部材、右枠部材、左枠部材によって構成された正面視略長方形状の外枠と、当該外枠の、遊技者に対向する前面側に設けられ、開閉可能に軸支された正面視略長方形状の中枠と、当該中枠の前記裏面側に装着される機構盤と、当該機構盤の上部に設けられ、前記中枠に対する前記機構盤のズレを防止するズレ防止部材とを備え、前記ズレ防止部材の最上部は、前記外枠の前記上枠部材の下面に近接していることを特徴とする。
【０００６】
また、請求項２に係る発明の遊技機では、請求項１に記載の発明の構成に加え、前記中枠の前記裏面側の上端部近傍に装着され、遊技球を貯留し、略直方体の上面が開口された球タンクと、前記ズレ防止部材に設けられ、前記外枠の前記前面側から裏面側に向かって、斜め下方に傾斜する傾斜面とを備え、前記傾斜面は、前記球タンクの上部近傍に位置することを特徴とする。
【０００７】
また、請求項３に係る発明の遊技機では、請求項２に記載の発明の構成に加え、前記傾斜面は、平面視略長方形状に形成され、前記傾斜面の傾斜する上流側の一辺は、前記外枠の前記上枠部材の下面に近接していることを特徴とする。
【０００８】
また、請求項４に係る発明の遊技機では、請求項１乃至３の何れかに記載の発明の構成に加え、前記ズレ防止部材は、断面視略台形の角柱状に形成され、前記ズレ防止部材の断面を見た時に、前記略台形の上底側は、前記外枠の前記上枠部材の下面に近接し、前記略台形の下底側は、前記機構盤の前記上部に当接して固定されていることを特徴とする。
【０００９】
また、請求項５に係る発明の遊技機では、請求項１乃至４の何れかに記載の発明の構成に加え、前記機構盤および前記ズレ防止部材は、樹脂によって一体成形されていることを特徴とする。
【発明の効果】
【００１０】
請求項１に係る発明の遊技機では、中枠の裏面側には機構盤が装着され、その機構盤の上部には、ズレ防止部材が設けられている。そして、このズレ防止部材の最上部は、外枠の上枠部材の下面に近接しているので、機構盤が中枠からズレても、ズレ防止部材の最上部が、外枠の上枠部材の下面に接触するため、機構盤が大きくズレるのを防止できる。また、遊技機の運搬時に、遊技機を上下逆さ状態にしても機構盤が中枠から外れることがないため、遊技機の運搬および取り付けの上で安全である。
【００１１】
また、請求項２に係る発明の遊技機では、請求項１に記載の発明の効果に加え、ズレ防止部材の傾斜面は、外枠の前面側から裏面側に向かって斜め下方に傾斜しており、その傾斜面は、球タンクの上部近傍に位置している。そのため、球タンクから溢れたり、飛び出した遊技球は、傾斜面に落下して下方に流下するので、遊技球が機構盤の上部および外枠の上枠部材との隙間に入り込むのを防止することができる。
【００１２】
また、請求項３に係る発明の遊技機では、請求項２に記載の発明の効果に加え、傾斜面は、平面視略長方形状に形成され、その傾斜面の傾斜する上流側の一辺は、外枠の上枠部材の下面に近接している。このため、機構盤が中枠からズレた場合、傾斜面のその一辺が、外枠の上枠部材の下面に接触するので、機構盤が中枠より大きくズレるのを防止することができる。
【００１３】
また、請求項４に係る発明の遊技機では、請求項１乃至３の何れかに記載の発明の効果に加え、ズレ防止部材は、断面視略台形の角柱であり、その断面を見た時に、略台形の上底側は、外枠の上枠部材の下面に近接している。また、略台形の下底側は、機構盤の上部に当接して固定されている。そのため、ズレ防止部材の上部には、略水平の平面が形成され、その平面が外枠の上枠部材の下面に近接する。そして、機構盤が中枠に対してズレた場合、ズレ防止部材の断面視略台形の上底側が、外枠の上枠部材の下面に接触するので、機構盤の重量はその上部に形成された平面全体にかかる。このため、ズレ防止部材によって、外枠の上枠部材を損傷させることを防止することができる。
【００１４】
また、請求項５に係る発明の遊技機では、請求項１乃至４の何れかに記載の発明の効果に加え、機構盤およびズレ防止部材は樹脂によって一体成型されているので、ズレ防止部材の設置が容易であり、さらに、ズレ防止部材の位置決めが容易である。
【発明を実施するための最良の形態】
【００１５】
以下、本発明に係る遊技機の一実施の形態であるパチンコ機１について、図面に基づいて説明する。図１は、本発明の一実施の形態であるパチンコ機１の、中枠１３、表枠１４が開いた状態を示す左側から見た斜視図であり、図２は、パチンコ機１の正面図であり、図３は、パチンコ機１の裏側から見た斜視図である。なお、図３に示すように、本発明の一実施の形態であるパチンコ機１によれば、機構盤３０の上端部に機構盤ズレ防止片５３を設け、中枠１３に対する機構盤３０のズレを防止するものである。さらに、機構盤ズレ防止片５３は、球タンク８１から溢れた遊技球が、機構盤３０の上端部と、外枠１２の外枠上柱部１２ａとの隙間に入り込むのを防止することもできる。
【００１６】
はじめに、パチンコ機１の概略構成について説明する。図１に示すように、パチンコ機１は、ホールの島設備（図示外）に配設され、パチンコ機１本体を支持する正面視略長方形状の外枠１２を備えている。そして、外枠１２の遊技者に対向する前面側には、正面視略長方形状の中枠１３が設けられている。そして、この中枠１３の左側側端部は、上ヒンジ２４および下ヒンジ２５を介して、外枠１２の外枠左柱部１２ｃ近傍に軸支されている。そのため、中枠１３が外枠１２に対して、略水平方向に回動する。一方、中枠１３の上半分には遊技盤２が固定され、当該遊技盤２の前面側には、略矩形状の表枠１４が設けられている。そして、表枠１４の表枠左側端部１４ｃが、上ヒンジ２４および中ヒンジ２６を介して、中枠左柱部１３ｃ（図４参照）近傍に軸支されている。そのため、表枠１４が中枠１３に対して、略水平方向に回動する。さらに、表枠１４の略中央には、正面視略円形状の窓部２３が形成され、その窓部２３には、正面視略円形状のガラス板２１が嵌め込まれている。このため、中枠１３の上半分に固定された遊技盤２は、ガラス板２１を略中央に保持した表枠１４によって保護されている。
【００１７】
また、図１および図２に示すように、中枠１３において、遊技盤２の下方には、発射機に遊技球を供給し、かつ賞品球を受け入れる上皿５が設けられている。さらに、上皿５の直下には、賞品球を受ける下皿６が設けられ、その下皿６の右側には遊技球の発射を調整する発射ハンドル７が設けられている。また、図２に示すように、上皿５と下皿６との間にはスピーカ４８が設けられている。さらに、中枠１３の上皿５の右側には鍵穴５６が設けられており、この鍵穴５６の背面にはシリンダ錠（図示外）が設けられている。そして、この鍵穴５６に鍵（図示外）を挿入し、挿入された鍵を反時計回りに回転させることにより、外枠１２に対して固定されていた中枠１３が開放され、略水平方向に回動可能となる。一方、挿入された鍵を時計回りに回転させることにより、中枠１３に対して固定されていた表枠１４が開放され、略水平方向に回動可能となる。
【００１８】
さらに、図２に示すように、遊技盤２は、正面視略正方形に形成されている。そして、遊技盤２の、遊技者に対向する前面側には、ガイドレール（図示外）で囲まれた正面視略円形状の遊技領域４が設けられている。よって、発射ハンドル７を操作することにより発射された遊技球が、ガイドレール（図示外）に導かれて遊技領域４へ侵入し、遊技領域４内を流下するようになっている。また、遊技領域４の略中央には特別図柄表示部Ｌ１，Ｌ２，Ｌ３を備えた特別図柄表示装置８が設けられている。そして、特別図柄表示装置８の下部には特別図柄始動電動役物１５、その下方には大入賞口１６が設けられている。さらに、図２に示すように、大入賞口１６の下方には、いずれの入賞口にも入賞しなかった遊技球が回収されるアウト口（図示外）が設けられている。
【００１９】
さらに、この特別図柄表示装置８の左右上方には電飾風車９，１０が各々設けられている。また、特別図柄表示装置８の左側方には普通図柄始動ゲート２２が設けられている。そして、特別図柄始動電動役物１５の左右には普通入賞口１９，２０がそれぞれ設けられており、大入賞口１６の左右にも普通入賞口１７，１８がそれぞれ設けられている。
【００２０】
また、図３に示すように、パチンコ機１の背面側において、中枠１３の裏面側に組み付けられた正面視略Ｌ字型形状の機構盤３０が露出した状態となっている。そして、この機構盤３０には、球払出装置８９、制御基盤、サブ統合基盤、表示基盤、払出基盤、カード基盤などの各種基盤（図示外）や各種装置が組み付けられている。そして、機構盤３０の上部には、正面視略長方形状の中継基盤５４を備えた中継基盤ボックス６４が設けられている。さらに、その中継基盤ボックス６４の上部には、傾斜面を有する傾斜部５１を備えた機構盤ズレ防止片５３が設けられている。また、機構盤３０に組み付けられた各種基盤は、樹脂製の透明な板材からなるセンターカバー８３や、基盤ボックス８５，８６によって保護されている。さらに、センターカバー８３の上方には、遊技機設置島から供給される遊技球を貯留する球タンク８１が設けられ、当該球タンク８１の下部には、タンク内の遊技球が通過するための球タンクレール８２が配設されている。そして、その球タンクレール８２の遊技球が流れる方向の下流側一端部は、後述する機構盤３０の遊技球樋８８の上流側に接続されている。
【００２１】
次に、外枠１２について説明する。図１に示すように、外枠１２は、ホールの島設備（図示外）に取り付けられるパチンコ機１本体を支持する枠である。この外枠１２は、外枠上柱部１２ａ、外枠右柱部１２ｂ、外枠左柱部１２ｃ、外枠下柱部１２ｄからなり、正面視略長方形状の枠を構成している。そして、外枠下柱部１２ｄは、他の３つの柱部材である外枠上柱部１２ａ、外枠右柱部１２ｂ、外枠左柱部１２ｃよりもやや前方へ突出した形状を有している。また、外枠下柱部１２ｄの長手方向略中間位置よりやや右側（図１の左側）の上面には、樹脂製の中枠滑り板１１が固定されている。この中枠滑り板１１は、中枠１３の中枠下柱部１３ｄ（図４参照）の下面が、外枠下柱部１２ｄの上面に摺動して乗り上げるために設けられている。さらに、図２に示すように、外枠下柱部１２ｄの、遊技者に対向する前面には、樹脂で形成された黒色の薄板である化粧板（図示外）が覆設されている。そして、上記構成からなる外枠１２の外枠左柱部１２ｃ近傍に、中枠１３の中枠左柱部１３ｃ（図４参照）近傍が軸支され、外枠１２に対して、中枠１３が略水平方向に回動する。
【００２２】
次に、中枠１３について説明する。図４は、中枠１３を裏面側から見た斜視図である。なお、以下の説明において、図４の右側（外枠１２に軸支される側）を「中枠１３の左側」とし、図４の左側（自由端側）を「中枠１３の右側」とする。図４に示すように、中枠１３は、中枠上柱部１３ａ、中枠右柱部１３ｂ、中枠左柱部１３ｃ、中枠下柱部１３ｄによって構成された正面視略長方形状の枠に、後述する遊技盤固定枠５０が固着されて構成されている。そして、外枠１２の大きさよりも一回り小さい大きさを有している。さらに、中枠１３を構成するこれら柱部材は、所定の厚みを有する金属板からなる。そして、中枠上柱部１３ａ、中枠右柱部１３ｂおよび中枠左柱部１３ｃは、平面視略短冊形状に形成されている。一方、中枠下柱部１３ｄは、中枠上柱部１３ａ、中枠右柱部１３ｂおよび中枠左柱部１３ｃよりも幅の広い平面視略長方形状に形成されている。そして、この中枠下柱部１３ｄの前面側には、上述した上皿５、下皿６、スピーカ４８および発射ハンドル７などの各部品（図２参照）および各装置が固定されるようになっている。
【００２３】
一方、中枠上柱部１３ａの長手方向左側（図４の右側）一端部近傍には、中枠１３の前面側に延設された平面視略半円形状の掛け部２４ａが固定されている。この掛け部２４ａは、外枠１２に固定された受け部２４ｂ（図１参照）と係合し、ともに上ヒンジ２４（図１参照）を構成する。一方、中枠左柱部１３ｃの前面の、長手方向略中間よりもやや下方位置近傍には、中ヒンジ２６（図１参照）の受け部２６ａが固定されている。この受け部２６ａは、表枠１４の左下角部近傍に固定された掛け部２６ｂ（図１参照）と係合し、ともに中ヒンジ２６（図１参照）を構成する。さらに、中枠下柱部１３ｄの前面の、左下（図４の右下）角部近傍には、掛け部２５ａが固定されている。この掛け部２５ａは、外枠１２に固定された受け部２５ｂ（図１参照）と係合し、ともに下ヒンジ２５を構成する。こうして、中枠１３の中枠左柱部１３ｃ側は、外枠１２の外枠左柱部１２ｃ近傍に軸支されることにより、外枠１２に対して中枠１３が略水平方向に回動可能となる。一方、表枠１４の表枠左側端部１４ｃも、中枠１３の中枠左柱部１３ｃ近傍に軸支されることにより、中枠１３に対して表枠１４が略水平方向に回動可能となる。
【００２４】
さらに、図４に示すように、中枠１３の中央に形成された開口部の裏面側周囲には、遊技盤２を固定するための遊技盤固定枠５０が固着されている。そして、遊技盤固定枠５０は、底面に遊技盤用開口部Ｑが形成された蓋なしの箱型に形成され、固定枠上柱部５０ａ、固定枠右柱部５０ｂ、固定枠左柱部５０ｃ、固定枠下柱部５０ｄの断面視略Ｌ字型の板部材によって構成されている。さらに、このような構成からなる遊技盤固定枠５０は、自身の底面側を、中枠１３の裏面側に位置するようにして、中枠１３の裏面側に固着されている。そして、遊技盤固定枠５０の略中央に形成された遊技盤用開口部Ｑに、遊技盤２に組み付けられた特別図柄表示装置８の一部や、各種部品の遊技盤２の盤面の裏側から突出する部分を嵌め込むことにより、遊技盤２が遊技盤固定枠５０の前面側に密着され、図示外の固定部材によって固定される。なお、図４に示す中枠１３と、遊技盤固定枠５０とが、「中枠」に相当する。
【００２５】
また、中枠１３の裏面側において、固定枠上柱部５０ａの稜線の長手方向左側一端部（図４の右側）近傍には、平面視略長方形状の係止孔３２が設けられている。また、固定枠左柱部５０ｃの長手方向上端部近傍には、鉤状に形成された係止突起３３が設けられている。さらに、固定枠下柱部５０ｄの長手方向中間部近傍には、鉤状に形成された係止突起３５が設けられ、同じく固定枠下柱部５０ｄの長手方向左側一端部の下側角部近傍には、同形状に形成された係止突起３４が設けられ、固定枠下柱部５０ｄの長手方向右側一端部近傍には、同形状に形成された係止突起３６が各々設けられている。なお、後述するが、中枠１３に設けられた係止孔３２および係止突起３３，３４，３５，３６は、機構盤３０の裏面側に各々設けられた係止孔４２，４３，４４，４５，４６（図６参照）および係止爪４２の「機構盤側係合部材」に各々係合するための「中枠側係合部材」である。
【００２６】
次に、球タンク８１について説明する。図３に示すように、球タンク８１は、中枠１３の裏面側であって、機構盤３０の上端部近傍に装着されている。この球タンク８１は、その上部（天面）が開放された略皿状に形成されている。そして、その内側には、多量の遊技球を貯留可能な貯留凹部８１ａが形成されている。この球タンク８１は、図３の右側下面に貯留凹部８１ａと連通する排出口（図示外）が形成されており、その排出口へ向けて、貯留凹部８１ａの底面は下降して傾斜している。このため、貯留凹部８１ａに貯留された遊技球は排出口から排出される。そして、球タンク８１の底面に形成された排出口には、遊技球を整列して導く球タンクレール８２が接続され、その球タンクレール８２は、機構盤３０に向かって斜め下方に配設されている。この球タンクレール８２は、球タンク８１へ供給された遊技球を、排出口から機構盤３０に装着された球払出装置８９に誘導する樋状の部材である。そして、この球タンクレール８２の、遊技球が流れる下流側一端部は、機構盤３０に装着された遊技球樋８８の上流側の端部に接続されている。
【００２７】
次に、機構盤３０について、図５乃至図７を参照して説明する。図５は、機構盤３０の前面側から見た斜視図であり、図６は、機構盤３０の背面図であり、図７は、機構盤３０の上端部に設けられた機構盤ズレ防止片５３を上から見た斜視図である。図５および図６に示すように、機構盤３０は、正面視略Ｌ字型に形成され、パチンコ機１の左右方向に延設された左右延設部３０ａと、当該左右延設部３０ａの長手方向の右側（図５の右側、図６の左側）一端部から略垂直上方に向かって延設された上下延設部３０ｂとで構成されている。そして、機構盤３０は、合成樹脂で成型された正面視略Ｌ字型の枠フレーム（図示外）を基本骨格として備え、その枠フレームに、遊技球樋８８、球払出装置８９などの各種装置や、制御基盤、サブ統合基盤などの各種基盤が組み付けられるようになっている。なお、以下の説明において、機構盤３０の、中枠１３に組み付けられる面側を、「機構盤３０の裏面」とし、各種基盤および各種装置が装着される面側を、「機構盤３０の前面」とする。よって、図５に示す機構盤３０の紙面手前側および図６に示す機構盤３０の紙面奥行き側を「機構盤３０の前面」とし、図５に示す機構盤３０の紙面奥行き側および図６に示す機構盤３０の紙面手前側を「機構盤３０の裏面側」とする。なお、図５に示す機構盤ズレ防止片５３が、「ズレ防止部材」に相当する。
【００２８】
次に、機構盤３０の構造について、左右延設部３０ａおよび上下延設部３０ｂに分けて各々説明する。まず、左右延設部３０ａについて説明する。図５に示すように、左右延設部３０ａは、パチンコ機１の左右両方向に延設された板部材であり、その前面側には、パチンコ機１における遊技機全体の制御を行う主基盤（図示外）、サブ統合基盤（図示外）、払出基盤（図示外）等の各種基盤が各々装着される。そして、それらの上からセンターカバー８３、基盤ボックス８５，８６（図３参照）が装着され、各種装置および各種基盤を保護する。また、図６に示すように、機構盤３０の裏面側において、左右延設部３０ａの長手方向の右側（図６の左側）一端部近傍には、係止孔４４が設けられ、長手方向略中間位置よりやや左側（図６の右側）には係止孔４５が設けられ、長手方向の左側（図６の右側）一端部近傍には、係止孔４６が設けられている。なお、係止孔４４は、中枠１３に設けられた係止突起３４に対向する位置に設けられ、係止孔４５は、中枠１３に設けられた係止突起３５に対向する位置に設けられ、係止孔４６は、中枠１３に設けられた係止突起３６に対向する位置に設けられている。
【００２９】
次に、上下延設部３０ｂについて説明する。図５に示すように、上下延設部３０ｂは、左右延設部３０ａの長手方向の右側一端部から、略垂直に延設されている。この上下延設部３０ｂには、球タンクレール８２（図３参照）の下流側一端部が接続された遊技球樋８８が配設され、当該遊技球樋８８の下方には球払出装置８９が設けられている。この球払出装置８９は、賞球や貸し球を払い出す装置である。さらに、球払出装置８９の下方には、上皿５に遊技球を払い出す払出樋（図示外）が連結されている。したがって、球タンク８１に供給された遊技球は、球タンクレール８２を介して、機構盤３０に設けられた遊技球樋８８に流入し、球払出装置８９の内部に誘導される。そして、球払出装置８９はそれらの遊技球を１個ずつ払出樋へ払い出すことにより、上皿５に遊技球が供給されるようになっている。
【００３０】
さらに、上下延設部３０ｂの長手方向上端部には、前面（図５の紙面手前側）が開口された略箱型形状の中継基盤ボックス６４が設けられ、その中継基盤ボックス６４の内側には、中継基盤５４（図３参照）が嵌め込まれる。この中継基盤５４は、台管理装置から供給される交流電圧を電源回路基盤（図示外）へと中継する基盤である。さらに、この中継基盤ボックス６４の上部には、断面視略台形状の機構盤ズレ防止片５３が一体となって設けられている。なお、機構盤ズレ防止片５３の構造および作用については後述する。
【００３１】
また、図６に示すように、上下延設部３０ｂの中継基盤ボックス６４の裏面側右側（図６の左側）一端部近傍には、係止孔４３が設けられている。さらに、中継基盤ボックス６４の上端部近傍には、断面視略逆Ｌ字型に形成された正面視略長方形状の金属製の係止爪４２（図７参照）が設けられている。なお、係止孔４３は、中枠１３に設けられた係止突起３３に対向する位置に、係止爪４２は、中枠１３に設けられた係止孔３２に対向する位置に設けられている。このように、係止爪４２，係止孔４３，係止孔４４，係止孔４５，係止孔４６は、中枠１３に設けられた「中枠側係合部材」と係合するための「機構盤側係合部材」である。
【００３２】
次に、本発明の要部である機構盤ズレ防止片５３について説明する。図７に示すように、機構盤ズレ防止片５３は、断面視略台形からなる角柱部材であり、機構盤３０（上下延設部３０ｂ）の上部に設けられた中継基盤ボックス６４の上部に設けられ、合成樹脂によって機構盤３０と一体成型されている。そして、機構盤ズレ防止片５３は、中枠１３（図４参照）の前面側から裏面側に向かう方向（機構盤３０の裏面側から表面側に向かう方向）に下方傾斜する傾斜面を備えた傾斜部５１を備えている。さらに、その傾斜部５１の傾斜面の最上流側の一辺には、機構盤３０の裏面側に向かって略水平に延設された水平面を有する水平部５２が形成されている。なお、機構盤ズレ防止片５３の傾斜部５１の傾斜角度は、機構盤３０の上端部と、外枠上柱部１２ａの下面との間に形成される隙間の長さにより決定され、水平部５２の水平面が、外枠上柱部１２ａ（図１参照）の下面に近接するように調整される。
【００３３】
次に、上記構成からなる機構盤３０の中枠１３への組み付け方法について、図４、図６および図８を参照して説明する。図８は、パチンコ機１を裏から見た機構盤ズレ防止片５３近傍の部分拡大図である。まず、中枠１３を、外枠１２（図１参照）に対して開放させる。そして、図６に示す機構盤３０の裏面側（即ち、機構盤３０の中枠１３へ組み付ける面側）を、図４に示す中枠１３の裏面側の略中央に位置させる。次いで、機構盤３０の係止爪４２を、中枠１３の係止孔３２に係止させる。さらに、機構盤３０の係止孔４３を、中枠１３の係止突起３３に、機構盤３０の係止孔４４を、中枠１３の係止突起３４に、機構盤３０の係止孔４５を、中枠１３の係止突起３５に、機構盤３０の係止孔４６を、中枠１３の係止突起３６に各々係止させる。こうして、機構盤３０が、中枠１３の裏面側に固定される。次いで、機構盤３０が装着された中枠１３を回動させ、外枠１２（図１参照）に対して閉塞する。この時、図８に示すように、機構盤３０に設けられた機構盤ズレ防止片５３の水平部５２の水平面は、外枠上柱部１２ａの下面に近接するようになっている。また、機構盤ズレ防止片５３の傾斜部５１の傾斜面は、パチンコ機１の、遊技者が対向する前面側から裏面側に向かって斜め下方に傾斜している。
【００３４】
次に、機構盤ズレ防止片５３の作用について説明する。図８に示すように、機構盤ズレ防止片５３の水平部５２の略水平面は、外枠上柱部１２ａの下面に近接している。そのため、パチンコ機１の振動により機構盤３０が中枠１３より大きくズレた場合、機構盤ズレ防止片５３の水平部５２の略水平面が外枠上柱部１２ａの下面と接触するため、機構盤３０の大きなズレを補正することができる。また、パチンコ機１の運搬時において、パチンコ機１が上下逆さ状態でトラックに積まれた場合に、機構盤３０自身の重みにより、機構盤３０が中枠１３より下方にズレるが、機構盤ズレ防止片５３の水平部５２が外枠上柱部１２ａの下面に接触して、機構盤３０を支持するため、機構盤３０が中枠１３（図４参照）から大きくズレることがない。このため、上下逆さ状態となったパチンコ機１を再度元通りにした場合でも、機構盤３０が中枠１３（図４参照）から外れたりすることがなく、パチンコ機１の設置作業者にとっては非常に安全である。
【００３５】
一方、図８に示すように、機構盤ズレ防止片５３の傾斜部５１は、球タンク８１配設位置の右側近傍に位置している。そのため、球タンク８１に供給された遊技球がタンク外に飛び出した場合、その遊技球は、機構盤３０の上端部および外枠上柱部１２ａの下面との隙間に入り込むことなく、機構盤ズレ防止片５３の傾斜部５１の傾斜面に落下し、その傾斜面を流下する。したがって、球タンク８１から飛び出た遊技球は、球タンク８１の下方に落下するため、ホール管理者が中枠１３（図１参照）をわざわざ開いて、隙間に入り込んだ遊技球を取り出す手間を省くことができる。
【００３６】
以上説明したように、本発明の一実施の形態であるパチンコ機１によれば、中枠１３の裏面側に組み付けられる機構盤３０の上端部に、機構盤ズレ防止片５３が設けられている。この機構盤ズレ防止片５３は、断面視略台形状の角柱であり、傾斜部５１と水平部５２とで構成されている。そして、傾斜部５１は、中枠１３の前面側から裏面側に向かって傾斜する傾斜面を有し、水平部５２は、傾斜部５１の下方傾斜する方向の上流側一端部から略水平に延設された水平面を有する。さらに、この水平部５２の水平面は、外枠１２の外枠上柱部１２ａの下面に近接している。このため、パチンコ機１の振動や、パチンコ機１の運搬時等により機構盤３０が中枠１３より大きくズレても、機構盤ズレ防止片５３の水平部５２が外枠上柱部１２ａの下面と接触するため、機構盤３０の大きなズレを防止することができる。
【００３７】
さらに、球タンク８１に供給された遊技球がタンク外に飛び出した場合、その遊技球は、機構盤３０の上端部および外枠上柱部１２ａの下面との隙間に入り込むことなく、機構盤ズレ防止片５３の傾斜部５１の傾斜面に衝突して落下し、その傾斜面を流下する。したがって、球タンク８１から飛び出した遊技球は、球タンク８１の下方に落下するため、ホール管理者が中枠１３をわざわざ開いて、隙間に入り込んだ遊技球を取り出す手間を省くことができる。
【００３８】
なお、本発明は、以上詳述した実施の形態に限定されるものではなく、種々の変更が可能である。まず、本実施の形態では遊技機として、遊技機の一種であるパチンコ機１を例に挙げているが、遊技機はパチンコ機に限られず、パチコン機およびスロット等の各種遊技機に適用可能である。
【００３９】
また、本実施形態のパチンコ機１の、機構盤３０は正面視略Ｌ字型に形成されているが、機構盤３０の形状についてはこれに限らず、正面視「略コの字型」、「略Ｔの字型」でもよく、形状については特に限定されない。
【００４０】
また、球タンク８１と一体となった正面視略コの字型形状の機構盤３０の上端部に、機構盤ズレ防止片５３を設けてもよい。
【００４１】
さらに、機構盤３０を中枠に対して固定するための、固定部材を設けてもよい。例えば、上記係合部材に加え、可動レバーを有する固定部材を機構盤３０に設けて、固定部材の可動レバーを中枠１３に設けられた鉤状部材に係止させることにより、機構盤３０が中枠１３に取り付けられるようにしてもよい。
【産業上の利用可能性】
【００４２】
本発明の遊技機は、パチンコ機に限られず、パチコン機およびスロット等の遊技機に適用可能である。
【図面の簡単な説明】
【００４３】
【図１】本発明の一実施の形態であるパチンコ機１の、中枠１３、表枠１４が開いた状態を示す左側から見た斜視図である。
【図２】パチンコ機１の正面図である。
【図３】パチンコ機１の裏側から見た斜視図である。
【図４】中枠１３を裏面から見た斜視図である。
【図５】機構盤３０の表側から見た斜視図である。
【図６】機構盤３０の背面図である。
【図７】機構盤３０の上端部に設けられた機構盤ズレ防止片５３を上から見た斜視図である。
【図８】パチンコ機１を裏から見た機構盤ズレ防止片５３近傍の部分拡大図である。
【符号の説明】
【００４４】
１    パチンコ機
２    遊技盤
１２    外枠
１２ａ  外枠上柱部
１２ｂ  外枠右柱部
１２ｃ  外枠左柱部
１２ｄ  外枠上柱部
１２ｄ  外枠下柱部
１３    中枠
３０    機構盤
５１    傾斜部
５２    水平部
５３    機構盤ズレ防止片
【図１】
0004639604.tif 000002
【図２】
0004639604.tif 000003
【図３】
0004639604.tif 000004
【図４】
0004639604.tif 000005
【図５】
0004639604.tif 000006
【図６】
0004639604.tif 000007
【図７】
0004639604.tif 000008
【図８】
0004639604.tif 000009